【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
容器から製品を押し出すための変形用手段を備えた分配装置で使用するための容器であって、
前記容器は、
分配されるべき製品を受ける底部材と、
前記容器から製品を放出するための前記底部材に設けられた出口と、
前記底部材に取り付けられた蓋体と、
前記分配装置の変形用手段との係合によって変形し、前記底部材の方へ動かされて前記製品を前記出口から放出するように構成された前記蓋体の変形可能領域と、
を有し、
前記底部材は下方部分と上方部分とからなり、
前記蓋体の変形可能領域は、前記底部材内を前記上方部分に向かって広がるように、かつ、前記変形用手段によって変形された際に、前記底部材の内部から出口を通って製品を押し出すように、前記底部材の下方部分の内側表面に接するように構成されていることを特徴とする、分配装置で使用するための容器。
【請求項２】
前記蓋体の変形可能領域は、変形された際に、前記底部材の下方部分の内側表面に入れ子状にぴったり合うような形状であることを特徴とする請求項１に記載の分配装置で使用するための容器。
【請求項３】
前記底部材の下方部分と上方部分とは放射状に拡径した肩部で区分されていることを特徴とする請求項１又は２に記載の分配装置で使用するための容器。
【請求項４】
前記肩部は前記底部の半分下に配置されていることを特徴とする請求項３に記載の分配装置で使用するための容器。
【請求項５】
前記蓋体は環状壁を備えており、前記環状壁は、使用時に、前記底部材の肩部上に載置されるようになされていることを特徴とする請求項３又は４に記載の分配装置で使用するための容器。
【請求項６】
前記下方部分の側壁は前記上方部分の側壁よりも内側になるように配置されていることを特徴とする請求項１〜５のいずれかに記載の分配装置で使用するための容器。
【請求項７】
前記蓋体は前記変形可能領域の周囲に外側部材を有し、前記変形可能領域は前記外側部材の上端部において前記外側部材に結合されていることを特徴とする請求項１〜６のいずれかに記載の分配装置で使用するための容器。
【請求項８】
前記底部材の上方部分は環状の溝を形成する外側に向かって折り返された縁が形成され、この溝によって前記容器は分配装置の載置位置に載置できるようになっていることを特徴とする請求項１〜７のいずれかに記載の分配装置で使用するための容器。
【請求項９】
前記蓋体は環状の周縁を有し、前記環状の周縁は前記底部材の折り返された縁上に配置されて前記底部材に固定されていることを特徴とする請求項８に記載の分配装置で使用するための容器。
【請求項１０】
前記底部材の下方部分はアールのついた部分と実質的に平坦な底面を有する円筒状であり、前記底面には前記出口が形成されていることを特徴とする請求項１〜９のいずれかに記載の分配装置で使用するための容器。
【請求項１１】
前記蓋体の外壁は前記底部材の上方部分内に入れ子になるように構成されていることを特徴とする請求項１〜１０のいずれかに記載の分配装置で使用するための容器。
【請求項１２】
前記底部材の上方部分の内側表面は傾斜しており、前記蓋体の側壁はそれに対応した傾斜を有し、前記蓋体は前記底部材内に入れ子になるように構成されていることを特徴とする請求項１〜１１のいずれかに記載の分配装置で使用するための容器。
【請求項１３】
前記蓋体は前記底部材に取り外し可能な蓋の形をしていることを特徴とする請求項１〜１２のいずれかに記載の分配装置で使用するための容器。
【請求項１４】
前記蓋体の変形可能領域はドーム状であることを特徴とする請求項１〜１３のいずれかに記載の分配装置で使用するための容器。
【請求項１５】
前記蓋体及び底部材は、互いに分離されたとき、同種かつ同形状の他の蓋体及び底部材と互いに入れ子にできることを特徴する請求項１〜１４のいずれかに記載の分配装置で使用するための容器。
【請求項１６】
前記容器はプラスチック製又は厚紙製であることを特徴とする請求項１〜１５のいずれかに記載の分配装置で使用するための容器。
【請求項１７】
前記蓋体の変形可能領域は前記底部材よりも硬質な部材で形成されていることを特徴とする請求項１〜１６のいずれかに記載の分配装置で使用するための容器。
【請求項１８】
容器から製品を押し出すための変形用手段を備えた分配装置で使用するための容器であって、
前記容器は、
分配されるべき製品を受ける第一部材と、
前記容器から製品を放出するための前記第一部材に設けられた出口と、
前記第一部材に取り外し可能に取り付けられた第二部材と、
を有し、
前記第二部材は変形可能領域を有し、前記変形可能領域は前記分配装置の変形用手段との係合によって変形かつ前記第一部材に向かって動かされ、前記出口から前記製品を押し出すようになされており、
前記第一部材は曲面状の下方部分を備え、前記第二部材は、前記第一部材の曲面状の下方部分にぴったり合っているとともに前記第一部材の曲面状の下側部材に入れ子にできるような曲面状の内側壁を有していることを特徴とする分配装置で使用するための容器。
【請求項１９】
前記第一部材の上方部分は環状の溝を形成する外側に向かって折り返された縁を形成し、この溝によって前記容器は分配装置の載置位置に載置できるようになっていることを特徴とする請求項１８に記載の分配装置で使用するための容器。
【請求項２０】
前記第二部材の変形可能領域は前記第一部材の下方部分の内面形状に一致する形状を有し、前記分配装置の変形用手段により変形された際、前記第一部材内から前記出口を通って全ての製品を押し出すようになされていることを特徴とする請求項１８又は１９に記載の分配装置で使用するための容器。
【請求項２１】
前記第二部材の変形可能領域は前記第一部材の下方部分の内側表面に入れ子状にぴったり合うような形状であることを特徴とする請求項１８〜２０のいずれかに記載の分配装置で使用するための容器。
【請求項２２】
容器から粘性製品又は半固体製品を分配するための分配装置であって、
前記分配装置は、前記容器から前記製品を押し出すための変形用手段を備え、
前記容器は、
分配される製品を受け入れるための底部材と、
前記容器から製品を放出するための前記底部材に設けられた出口と、
前記底部材に取り付けられた蓋体と、
分配装置の変形用手段との係合によって変形し、前記底部材の方へ動かされて前記製品を前記出口から押し出すように構成された前記蓋体の変形可能領域と、
を有し、
前記変形用手段は、前記容器の底部から出口を通して全ての製品を押し出すために、前記容器の底部材の下方部分の曲面状内表面にぴったり合う曲面状外表面を有するプランジャーから形成され、
前記底部材は放射状に拡径した肩部材によって分離されている上方部分と下方部分とを有していることを特徴とする分配装置。
【請求項２３】
前記容器の底部材は上方部分と下方部分とからなり、前記上方部分は前記下方部分よりも大径を有し、前記プランジャーは前記容器の蓋材を変形して前記容器の上方部分を通って下方部分にまで至るように構成されていることを特徴とする請求項２２に記載の分配装置。
【請求項２４】
容器から製品を押し出すための変形用手段を備えた分配装置で使用するための容器であって、
前記容器は、
分配されるべき製品を受ける底部材と、
前記容器から製品を放出するための前記底部材に設けられた出口と、
前記底部材に取り付けられた蓋体と、
前記分配装置の変形用手段との係合によって変形し、前記底部材の方へ動かされて前記製品を前記出口から放出するように構成された前記蓋体の変形可能領域と、
を有し、
前記底部材は下方部分と上方部分とからなり、
前記蓋体の変形可能領域は、前記底部材内を前記上方部分に向かって広がるように、かつ、前記変形用手段によって変形された際に、前記底部材の内部から出口を通って製品を押し出すように、前記底部材の下方部分の内側表面に接するように構成されており、
前記底部材の下方部分と上方部分とは放射状に拡径した肩部で区分されていることを特徴とする、分配装置で使用するための容器。
【請求項２５】
前記蓋体は環状壁を備えており、前記環状壁は、使用時に、前記底部材の肩部上に載置されるようになされていることを特徴とする請求項２４に記載の分配装置で使用するための容器。
【請求項２６】
前記下方部分の側壁は前記上方部分の側壁よりも内側になるように配置されていることを特徴とする請求項２４に記載の分配装置で使用するための容器。
【請求項２７】
前記底部材の下方部分はアールのついた部分と実質的に平坦な底面を有する円筒状であり、前記底面には前記出口が形成されていることを特徴とする請求項２４に記載の分配装置で使用するための容器。
【請求項２８】
前記蓋体の変形可能領域はドーム状であることを特徴とする請求項２４に記載の分配装置で使用するための容器。
【請求項２９】
前記蓋体の変形可能領域は前記底部材よりも硬質な部材で形成されていることを特徴とする請求項２４に記載の分配装置で使用するための容器。
【請求項３０】
容器から製品を押し出すための変形用手段を備えた分配装置で使用するための容器であって、
前記容器は、
分配されるべき製品を受ける底部材と、
前記容器から製品を放出するための前記底部材に設けられた出口と、
前記底部材に取り付けられた蓋体と、
前記分配装置の変形用手段との係合によって変形し、前記底部材の方へ動かされて前記製品を前記出口から放出するように構成された前記蓋体の変形可能領域と、
を有し、
前記底部材は下方部分と上方部分とからなり、
前記蓋体の変形可能領域は、前記底部材内を前記上方部分に向かって広がるように、かつ、前記変形用手段によって変形された際に、前記底部材の内部から出口を通って製品を押し出すように、前記底部材の下方部分の内側表面に接するように構成されており、
前記底部材の下方部分はアールのついた部分と実質的に平坦な底面を有する円筒状であり、前記底面には前記出口が形成されていることを特徴とする、分配装置で使用するための容器。
【請求項３１】
前記底部材の下方部分と上方部分とは放射状に拡径した肩部で区分されていることを特徴とする請求項３０に記載の分配装置で使用するための容器。
【請求項３２】
前記蓋体は環状壁を備えており、前記環状壁は、使用時に、前記底部材の肩部上に載置されるようになされていることを特徴とする請求項３１に記載の分配装置で使用するための容器。
【請求項３３】
前記下方部分の側壁は前記上方部分の側壁よりも内側になるように配置されていることを特徴とする請求項３０に記載の分配装置で使用するための容器。
【請求項３４】
前記蓋体の変形可能領域はドーム状であることを特徴とする請求項３０に記載の分配装置で使用するための容器。
【請求項３５】
前記蓋体の変形可能領域は前記底部材よりも硬質な部材で形成されていることを特徴とする請求項３０に記載の分配装置で使用するための容器。
【請求項３６】
容器から製品を押し出すための変形用手段を備えた分配装置で使用するための容器であって、
前記容器は、
分配されるべき製品を受ける底部材と、
前記容器から製品を放出するための前記底部材に設けられた出口と、
前記底部材に取り付けられた蓋体と、
前記分配装置の変形用手段との係合によって変形し、前記底部材の方へ動かされて前記製品を前記出口から放出するように構成された前記蓋体の変形可能領域と、
を有し、
前記底部材は下方部分と上方部分とからなり、
前記蓋体の変形可能領域は、前記底部材内を前記上方部分に向かって広がるように、かつ、前記変形用手段によって変形された際に、前記底部材の内部から出口を通って製品を押し出すように、前記底部材の下方部分の内側表面に接するように構成されており、
前記蓋体の変形可能領域はドーム状であることを特徴とする、分配装置で使用するための容器。
【請求項３７】
前記底部材の下方部分と上方部分とは放射状に拡径した肩部で区分されていることを特徴とする請求項３６に記載の分配装置で使用するための容器。
【請求項３８】
前記蓋体は環状壁を備えており、前記環状壁は、使用時に、前記底部材の肩部上に載置されるようになされていることを特徴とする請求項３６に記載の分配装置で使用するための容器。
【請求項３９】
前記下方部分の側壁は前記上方部分の側壁よりも内側になるように配置されていることを特徴とする請求項３６に記載の分配装置で使用するための容器。
【請求項４０】
前記底部材の下方部分はアールのついた部分と実質的に平坦な底面を有する円筒状であり、前記底面には前記出口が形成されていることを特徴とする請求項３６に記載の分配装置で使用するための容器。
【請求項４１】
前記蓋体の変形可能領域は前記底部材よりも硬質な部材で形成されていることを特徴とする請求項３６に記載の分配装置で使用するための容器。
【請求項４２】
容器から製品を押し出すための変形用手段を備えた分配装置で使用するための容器であって、
前記容器は、
分配されるべき製品を受ける底部材と、
前記容器から製品を放出するための前記底部材に設けられた出口と、
前記底部材に取り付けられた蓋体と、
前記分配装置の変形用手段との係合によって変形し、前記底部材の方へ動かされて前記製品を前記出口から放出するように構成された前記蓋体の変形可能領域と、
を有し、
前記底部材は下方部分と上方部分とからなり、
前記蓋体の変形可能領域は、前記底部材内を前記上方部分に向かって広がるように、かつ、前記変形用手段によって変形された際に、前記底部材の内部から出口を通って製品を押し出すように、前記底部材の下方部分の内側表面に接するように構成されており、
前記下方部分の側壁は前記上方部分の側壁よりも内側になるように配置されていることを特徴とする、分配装置で使用するための容器。
【請求項４３】
前記底部材の下方部分と上方部分とは放射状に拡径した肩部で区分されていることを特徴とする請求項４２に記載の分配装置で使用するための容器。
【請求項４４】
前記蓋体は環状壁を備えており、前記環状壁は、使用時に、前記底部材の肩部上に載置されるようになされていることを特徴とする請求項４３に記載の分配装置で使用するための容器。
【請求項４５】
前記蓋体の変形可能領域はドーム状であることを特徴とする請求項４２に記載の分配装置で使用するための容器。
【請求項４６】
前記底部材の下方部分はアールのついた部分と実質的に平坦な底面を有する円筒状であり、前記底面には前記出口が形成されていることを特徴とする請求項４２に記載の分配装置で使用するための容器。
【請求項４７】
前記蓋体の変形可能領域は前記底部材よりも硬質な部材で形成されていることを特徴とする請求項４２に記載の分配装置で使用するための容器。
【手続補正２】
【補正対象書類名】明細書
【補正対象項目名】００５５
【補正方法】変更
【補正の内容】
【００５５】
次に図７〜１３を参照すると、製品用の容器５０（図７に組立てられて図示されている。）は、２つの部分、即ち底部材５１（図８）と蓋又は蓋体５２（図９）とで形成されており、それぞれプラスチック又は厚紙で形成することができる。底部材５１は中間部が放射状に拡径した肩部５３Ｃであるテーパのついた上下の側壁部分５３Ａ、５３Ｂを有し、これらの側壁部分は蓋体５２の上縁５４で終わる上方向にテーパがついており、テーパの角度は底部材５１が図８に示すように他方の中に収容されることができるようにうまく合わされている。相応しい角度は縦に対して約５°又は開先角度１０°である。